(57)【要約】【目的】１３個全てのセグメントについて同期確認する必要がなく、しかも正確にスキャン動作を行なえる「デジタルラジオ受信機及びそのスキャン方法」を提供することである。【構成】１チャンネルの帯域を複数セグメントに分割し、番組を１セグメントあるいは３セグメントを用いて放送する各放送局からの放送電波を受信して再生するデジタルラジオ受信機において、所定のセグメントからスキャンを開始し、該セグメントについて同期が取れたか調べ、同期が取れた場合には、受信信号に含まれる情報を参照して１セグメント放送であるか３セグメント放送であるかを判別し、３セグメント放送である場合には、前記セグメントの両隣のセグメントをスキャン済みとし、同期が取れたか否かに応じて次にスキャンするセグメントを決定してスキャンを継続する。【選択図】図６
2011019055.tif 000002
【特許請求の範囲】
【請求項１】
１チャンネルの帯域を複数セグメントに分割し、番組を１セグメントあるいは３セグメントを用いて放送する各放送局からの放送電波を受信して再生するデジタルラジオ受信機のスキャン方法において、
所定のセグメントからスキャンを開始し、
該セグメントについて同期が取れたか調べ、
同期が取れた場合には、受信信号に含まれる情報を参照して１セグメント放送であるか３セグメント放送であるかを判別し、
３セグメント放送である場合には、前記セグメントの両隣のセグメントをスキャン済みとし、
同期が取れたか否かに応じて次にスキャンするセグメントを決定してスキャンを継続する、
ことを特徴とするデジタルラジオ受信機のスキャン方法。
【請求項２】
１）前記同期が取れない場合には、前記スキャンしたセグメントに隣接する第１セグメントを次にスキャンするセグメントとして決定し、２）同期が取れて、１セグメント放送である場合には、前記第１セグメントに隣接する第２セグメントを次にスキャンするセグメントとして決定し、３）同期が取れて、３セグメント放送である場合には、前記第２セグメントに隣接する第３セグメントを次にスキャンするセグメントとして決定する、
ことを特徴とする請求項１記載のデジタルラジオ受信機のスキャン方法。
【請求項３】
前記同期が取れない場合には、前記スキャンしたセグメントに隣接する第１セグメントを次にスキャンするセグメントとして決定し、同期が取れた場合には、前記第１セグメントに隣接する第２セグメントを次にスキャンするセグメントとして決定する、
ことを特徴とする請求項１記載のデジタルラジオ受信機のスキャン方法。
【請求項４】
前記スキャンを開始するセグメントを中心周波数が下から２番目のセグメントとし、周波数アップ方向にスキャンを行なう、
ことを特徴とする請求項１乃至３記載のデジタルラジオ受信機のスキャン方法。
【請求項５】
スキャンを継続し、周波数アップ方向において次にスキャンするセグメントが存在しなくなったとき、以後、スキャンしてないセグメントを順次スキャンする、
ことを特徴とする請求項４記載のデジタルラジオ受信機のスキャン方法。
【請求項６】
前記スキャンを開始するセグメントを中心周波数が上から２番目のセグメントとし、周波数ダウン方向にスキャンを継続する、
ことを特徴とする請求項１乃至３記載のデジタルラジオ受信機のスキャン方法。
【請求項７】
スキャンを継続し、周波数ダウン方向において次にスキャンするセグメントが存在しなくなったとき、以後、スキャンしてないセグメントを順次スキャンする、
ことを特徴とする請求項６記載のデジタルラジオ受信機のスキャン方法。
【請求項８】
１チャンネルの帯域を複数セグメントに分割し、番組を１セグメントあるいは３セグメントを用いて放送する各放送局からの放送電波を受信して再生するデジタルラジオ受信機において、
前記放送電波を受信するチューナ部、
所定のセグメントの中心周波数にチューナを同調させたとき、同期が取れたか検査する同期確立検出部、
同期が取れた場合には、受信信号に含まれる放送形式識別情報を取得する情報取得部、
該放送形式識別情報を参照して１セグメント放送であるか３セグメント放送であるかを判別し、３セグメント放送である場合には、前記セグメントの両隣のセグメントをスキャン済みとし、同期が取れたか否かに応じて次にスキャンするセグメントを決定して該セグメントの中心周波数にチューナを同調させる受信機制御部、
前記スキャン結果を保存する記憶部、
を備えたことを特徴とするデジタルラジオ受信機。
【請求項９】
前記受信機制御部は、１）前記同期が取れない場合には、前記スキャンしたセグメントに隣接する第１セグメントを次にスキャンするセグメントとして決定し、２）同期が取れて１セグメント放送である場合には、前記第１セグメントに隣接する第２セグメントを次にスキャンするセグメントとして決定し、３）同期が取れて３セグメント放送である場合には、前記第２セグメントに隣接する第３セグメントを次にスキャンするセグメントとして決定する、
ことを特徴とする請求項８記載のデジタルラジオ受信機。
【請求項１０】
前記受信機制御部は、前記同期が取れない場合には、前記スキャンしたセグメントに隣接する第１セグメントを次にスキャンするセグメントとして決定し、同期が取れた場合には、前記第１セグメントに隣接する第２セグメントを次にスキャンするセグメントとして決定する、
ことを特徴とする請求項８記載のデジタルラジオ受信機。
【請求項１１】
前記受信機制御部は、前記スキャンを開始するセグメントを中心周波数が下から２番目のセグメントとし、周波数アップ方向にスキャンを行なう、
ことを特徴とする請求項８乃至１０記載のデジタルラジオ受信機。
【請求項１２】
前記受信機制御部は、スキャンを継続し、周波数アップ方向において次にスキャンするセグメントが存在しなくなったとき、以後、スキャンしてないセグメントを順次スキャンする、
ことを特徴とする請求項１１記載のデジタルラジオ受信機。
【請求項１３】
前記受信機制御部は、前記スキャンを開始するセグメントを中心周波数が上から２番目のセグメントとし、周波数ダウン方向にスキャンを継続する、
ことを特徴とする請求項８乃至１０記載のデジタルラジオ受信機。
【請求項１４】
前記受信機制御部は、スキャンを継続し、周波数ダウン方向において次にスキャンするセグメントが存在しなくなったとき、以後、スキャンしてないセグメントを順次スキャンする、
ことを特徴とする請求項１３記載のデジタルラジオ受信機。
【発明の詳細な説明】
【技術分野】
【０００１】
本発明はデジタルラジオ受信機及びそのスキャン方法に係り、特に１チャンネルの帯域を複数セグメントに分割し、番組を１セグメントあるいは３セグメントを用いて放送する各放送局からの放送電波を受信して再生するデジタルラジオ受信機及びそのスキャン方法に関する。
【背景技術】
【０００２】
日本国内では、地上波テレビ放送のデジタル化が進められており、2011年には全国で地上波デジタル放送が実施され、アナログ波を停波する予定となっている。また、アナログ波停波後、VHF-LOW帯域90MHz〜108MHz（1ch〜3ch）で、デジタルラジオ放送（VHF-LOW帯域マルチメディア放送）が行なわれる予定になっている。かかるデジタルラジオ放送では、伝送方式として、高い周波数利用効率と伝送品質が得られるOFDM（Orthogonal Frequency Division Multiplexing：直交波周波数分割多重）方式が採用され、帯域幅6MHzの１つの放送チャンネルを１４個のセグメントに分割し、そのうちガードバンドを除いた１３個のセグメント(図８（A）参照)の１セグメントあるいは３セグメントを用いて各放送局はサービスを行なうことが決められている。
図８（B）は各放送局にセグメントを例示的に割当てた場合の説明図であり、２つの放送局が３個のセグメントを使用して放送し、他の放送局が１個のセグメントを用いて放送する例である。どのセグメントを用いて３セグメント放送するかは任意であり、地域により１セグメント放送局と３セグメント放送局の配列パターンは異なる。受信機は、ラジオ番組(サービス)が１セグメントと３セグメントの何れで放送されているかを、各放送局が送信するTMCC(Transmission and Multiplexing Configuration Control)情報に含まれる形式識別フラグを参照することに知ることができる。
前述のように地域により上記の１セグメント放送局/３セグメント放送局の配列パターンが異なるため、移動時に使用できるデジタルラジオ受信機、例えば、車両等の移動体に搭載したデジタルラジオ受信機は、電源投入により、あるいは要求により、適宜スキャン動作を行なって、各放送局の周波数リストを作成し、該周波数リストを参照して、受信を行なうようになっている。
【０００３】
図９は従来のスキャン動作説明図である。３セグメント放送では、中央のセグメントにのみTMCC情報が含まれているが、受信するまではどのセグメントが１セグメント放送用であるか３セグメント放送用であるかは不明である。このため、図９に示すように、デジタルラジオ受信機は、１３セグメント全てを１セグメントづつ順番に同期確認し、同期が取れた場合にはTMCC情報の形式識別フラグを参照して１セグメント放送/３セグメント放送の別を識別し、各放送局の周波数リストを作成する。
しかし、図９の配列パターンでは、セグメントのNo.4、No.6、No.10、No.12は同期が取れないにも係らず同期確認しているため無駄であり、その分スキャン時間が長くなる問題がある。特に、デジタルラジオ放送では伝送方式にOFDM方式を使用しているため、OFDM信号のフレーム同期が取れているか否かを確認する必要があり、そのため同期確認に0.5秒の時間を必要とする。このため、図９の例では１チャンネル(6MHz)当たり２秒無駄になり、VHF-LOWの３チャンネル分で計算すると６秒の無駄が発生し、３セグメントサービスが多いほどスキャンに時間を要する問題がある。
【０００４】
従来技術として、地上デジタル放送における選局時間を短縮する技術が提案されている(特許文献１参照)。この従来技術は、セグメントを３つのサブチャンネルに分割し、各サブチャンネルの受信レベルが全て設定値以上の場合には該セグメントにおいてデジタル放送波を受信可能と判定するものである。この従来技術は時間のかかるOFDMフレームの同期を確認せず、受信レベルに基づいてスキャンを行なうものである。しかし、１３個全てのセグメントについて上記のデジタル放送波受信可能判定を行なう必要があり、しかも、受信レベルに基づいて行なうものであるため正確な判定ができない問題がある。
【先行技術文献】
【特許文献】
【０００５】
【特許文献１】特開２００８−５３９６８号公報
【発明の概要】
【発明が解決しようとする課題】
【０００６】
以上から、本発明の目的は、１３個全てのセグメントについて同期確認する必要がなく、しかも正確にスキャン動作を行なえるようにすることである。
【課題を解決するための手段】
【０００７】
本発明は、１チャンネルの帯域を複数セグメントに分割し、番組を１セグメントあるいは３セグメントを用いて放送する各放送局からの放送電波を受信して再生するデジタルラジオ受信機及びそのスキャン方法である。
・スキャン方法
本発明のデジタルラジオ受信機におけるスキャン方法は、所定のセグメントからスキャンを開始するステップ、該セグメントについて同期が取れたか調べるステップ、同期が取れた場合には、受信信号に含まれる情報を参照して１セグメント放送であるか３セグメント放送であるかを判別するステップ、３セグメント放送である場合には、前記セグメントの両隣のセグメントをスキャン済みとするステップ、同期が取れたか否かに応じて次にスキャンするセグメントを決定してスキャンを継続するステップ、を備えている。
スキャンするセグメントの第１の決定方法は、１）前記同期が取れない場合、前記スキャンしたセグメントに隣接する第１セグメントを次にスキャンするセグメントとして決定し、２）同期が取れて、１セグメント放送である場合には、前記第１セグメントに隣接する第２セグメントを次にスキャンするセグメントとして決定し、３）同期が取れて、３セグメント放送である場合には、前記第２セグメントに隣接する第３セグメントを次にスキャンするセグメントとして決定する。
スキャンするセグメントの第１の決定方法は、１）前記同期が取れない場合、前記スキャンしたセグメントに隣接する第１セグメントを次にスキャンするセグメントとして決定し、２）同期が取れた場合には、前記第１セグメントに隣接する第２セグメントを次にスキャンするセグメントとして決定する。
本発明のスキャン方法は、更に、前記スキャンを開始するセグメントを中心周波数が下から２番目のセグメントとし、周波数アップ方向にスキャンを行なうステップ、スキャンを継続し、周波数アップ方向において次にスキャンするセグメントが存在しなくなったとき、以後、スキャンしてないセグメントを順次スキャンするステップを備えている。
また、本発明のスキャン方法は、前記スキャンを開始するセグメントを中心周波数が上から２番目のセグメントとし、周波数ダウン方向にスキャンを継続するステップ、スキャンを継続し、周波数ダウン方向において次にスキャンするセグメントが存在しなくなったとき、以後、スキャンしてないセグメントを順次スキャンするステップを有している。
【０００８】
・デジタルラジオ受信機
本発明のデジタルラジオ受信機は、放送電波を受信するチューナ部、所定のセグメントの中心周波数にチューナを同調させたとき、同期が取れたか検査する同期確立検出部、同期が取れた場合には、受信信号に含まれる放送形式識別情報を取得する情報取得部、該放送形式識別情報を参照して１セグメント放送であるか３セグメント放送であるかを判別し、３セグメント放送である場合には、前記セグメントの両隣のセグメントをスキャン済みとし、同期が取れたか否かに応じて次にスキャンするセグメントを決定して該セグメントの中心周波数にチューナを同調させる受信機制御部、前記スキャン結果を保存する記憶部を備えている。
前記受信機制御部は、スキャンするセグメントを、次のようにして決定する。すなわち、１）前記同期が取れない場合には、前記スキャンしたセグメントに隣接する第１セグメントを次にスキャンするセグメントとして決定し、２）同期が取れて１セグメント放送である場合には、前記第１セグメントに隣接する第２セグメントを次にスキャンするセグメントとして決定し、３）同期が取れて３セグメント放送である場合には、前記第２セグメントに隣接する第３セグメントを次にスキャンするセグメントとして決定する。
前記受信機制御部は、また、スキャンするセグメントを、次のようにして決定する。すなわち、１）前記同期が取れない場合には、前記スキャンしたセグメントに隣接する第１セグメントを次にスキャンするセグメントとして決定し、２）同期が取れた場合には、前記第１セグメントに隣接する第２セグメントを次にスキャンするセグメントとして決定する。
前記受信機制御部は、前記スキャンを開始するセグメントを中心周波数が下から２番目のセグメントとして周波数アップ方向にスキャンし、周波数アップ方向において次にスキャンするセグメントが存在しなくなったとき、以後、スキャンしてないセグメントを順次スキャンする。
前記受信機制御部は、前記スキャンを開始するセグメントを中心周波数が上から２番目のセグメントとして周波数ダウン方向にスキャンを継続し、周波数ダウン方向において次にスキャンするセグメントが存在しなくなったとき、以後、スキャンしてないセグメントを順次スキャンする。
【発明の効果】
【０００９】
本発明によれば、所定のセグメントからスキャンを開始し、該セグメントについて同期が取れたか調べ、同期が取れた場合には、受信信号に含まれる情報を参照して１セグメント放送であるか３セグメント放送であるかを判別し、３セグメント放送である場合には、前記セグメントの両隣のセグメントのスキャンを省略するようにしたから、１３個全てのセグメントについて同期確認する必要がなく、しかも正確にスキャン動作を行なうことができる。
本発明によれば、前記同期が取れない場合、前記スキャンしたセグメントに隣接する第１セグメントを次にスキャンするセグメントとするから、３セグメント放送の中心セグメントを確実に判別し、スキャンするセグメントの数を減少できる。
本発明によれば、同期が取れて、１セグメント放送である場合には、前記第１セグメントに隣接する第２セグメントを次にスキャンするセグメントとして決定し、同期が取れて、３セグメント放送である場合には、前記第２セグメントに隣接する第３セグメントを次にスキャンするセグメントとして決定するようにしたから、３セグメント放送の両側のセグメントをスキャンしないで中心セグメントを検出できる確率を高くでき、スキャンするセグメントの数を減少することができる。
本発明によれば、前記同期が取れない場合、前記スキャンしたセグメントに隣接する第１セグメントを次にスキャンするセグメントとして決定し、同期が取れた場合には、前記第１セグメントに隣接する第２セグメントを次にスキャンするセグメントとして決定するようにしたから、３セグメント放送の中心セグメントを確実に判別し、スキャンするセグメントの数を減少でき、しかも、３セグメント放送の両側のセグメントをスキャンしないで中心セグメントを検出できる確率を高くでき、スキャンするセグメントの数を減少することができる。
本発明によれば、更に、前記スキャンを開始するセグメントを中心周波数が下から２番目のセグメントとし、周波数アップ方向にスキャンを行ない、周波数アップ方向において次にスキャンするセグメントが存在しなくなったとき、以後、スキャンしてないセグメントを順次スキャンするようにしたから、３セグメント放送の両側のセグメントをスキャンしないで中心セグメントを検出できる確率を高くでき、スキャンするセグメントの数を減少することができる。
また、本発明によれば、前記スキャンを開始するセグメントを中心周波数が上から２番目のセグメントとし、周波数ダウン方向にスキャンを継続し、周波数ダウン方向において次にスキャンするセグメントが存在しなくなったとき、以後、まだスキャンしてないセグメントを順次スキャンするようにしたから、３セグメント放送の両側のセグメントをスキャンしないで中心セグメントを検出できる確率を高くでき、スキャンするセグメントの数を減少することができる。
【図面の簡単な説明】
【００１０】
【図１】第１のスキャン動作の説明図である。
【図２】第１のスキャン動作の別の説明図である。
【図３】第２のスキャン動作の説明図である。
【図４】本発明のデジタルラジオ受信機の構成図である。
【図５】TMCC情報の説明図である。
【図６】本発明の第１のスキャン動作による処理フローである。
【図７】本発明の第２のスキャン動作による処理フローである。
【図８】デジタルラジオのセグメント説明図である。
【図９】従来のスキャン動作説明図である。
【発明を実施するための形態】
【００１１】
（Ａ）本発明のスキャン動作
（ａ）第１のスキャン動作
１．スキャンを開始するセグメントを中心周波数が下から２番目のセグメント(No．2のセグメント)とし、周波数アップ方向にスキャンを行ない、該セグメントについて同期が取れたか調べる。
２．同期が取れた場合には、受信信号に含まれる情報(TMCC情報)を参照して１セグメント放送であるか３セグメント放送であるかを判別し、３セグメント放送である場合には、前記セグメントの両隣のセグメントのスキャンを以後省略するものとする(スキャン済みとする)。
３．ついで、(1) 同期が取れない場合には、前記スキャンしたセグメントに隣接する第１セグメントを次にスキャンするセグメントとして決定し、(2) 同期が取れて、１セグメント放送である場合には、前記第１セグメントに隣接する第２セグメントを次にスキャンするセグメントとして決定し、(3) 同期が取れて、３セグメント放送である場合には、前記第２セグメントに隣接する第３セグメントを次にスキャンするセグメントとして決定する。
４．以後、スキャンを継続して上記１−３の動作を繰り返し、周波数アップ方向において次にスキャンするセグメントが存在しなくなったとき、３セグメント放送の中心セグメントを全て検出できたことになる。従って、最後に、まだスキャンしてない残りのセグメント(スキャン済みとされたセグメントは省略する)を順次スキャンする。
する。
【００１２】
図１は第１のスキャン動作の説明図であり、１セグメント放送局と３セグメント放送局の配列パターンが(A)に示すようになっているものとする。
まず、デジタルラジオ受信機は、２番目のセグメント(No．2のセグメント)からスキャンを開始する(図１（B）)。なお、スキャン対象セグメントの番号をSとすれば、S＝２である。セグメント２は３セグメント放送の中心セグメントであるから、セグメント２において同期が取れ、TMCC情報より３セグメント放送の中心セグメントであることが判明する。従って、デジタルラジオ受信機は、両側のセグメント１，３をスキャン済みとすると共に、該セグメント２の周波数、放送局名、１セグメント放送/３セグメント放送の別等を周波数リストに登録する。
ついで、デジタルラジオ受信機は、次にスキャンすべきセグメントSを次式
S＝S+３＝５
により計算し、その同期を確認する(図１(C))。なお、スキャン対象セグメントＳが３セグメント放送の中心セグメントであった場合には＋３アップする。
セグメント５は１セグメント放送用のセグメントであるから、同期が取れ、TMCC情報より１セグメント放送用であることが判明する。従って、ラジオ受信機は、該セグメントの周波数、放送局名、１セグメント放送/３セグメント放送の別等を周波数リストに登録する。
【００１３】
ついで、ラジオ受信機は、次にスキャンすべきセグメントSを次式
S＝S+２＝７
により計算し、その同期を確認する(図１(D))。なお、スキャン対象セグメントＳが１セグメント放送のセグメントであった場合には＋２アップする。
セグメント７は１セグメント放送用のセグメントであるから、同期が取れ、TMCC情報より１セグメント放送用であることが判明する。従って、ラジオ受信機は、該セグメントの周波数、放送局名、１セグメント放送/３セグメント放送の別等を周波数リストに登録する。
ついで、ラジオ受信機は、次にスキャンすべきセグメントSを次式
S＝S+２＝９
により計算し、その同期を確認する(図１(E))。セグメント９は１セグメント放送用のセグメントであるから、同期が取れ、TMCC情報より１セグメント放送用であることが判明する。従って、ラジオ受信機は、該セグメントの周波数、放送局名、１セグメント放送/３セグメント放送の別等を周波数リストに登録する。
ついで、ラジオ受信機は、次にスキャンすべきセグメントSを次式
S＝S+２＝１１
により計算し、その同期を確認する(図１(F))。セグメント１１は３セグメント放送の中心セグメントであるから、セグメント１１において同期が取れ、TMCC情報より３セグメン１ト放送の中心セグメントであることが判明する。従って、ラジオ受信機は、両側のセグメント１０，１２をスキャン済みとすると共に、該セグメントの周波数、放送局名、１セグメント放送/３セグメント放送の別等を周波数リストに登録する。
ついで、ラジオ受信機は、次にスキャンすべきセグメントSを次式
S＝S+3＝１４
により計算する。しかし、S=１４のセグメントは存在しないから、以後、まだスキャンしてないセグメントNo．４、６、８、１３（スキャン済みとされたセグメントは除く）を順次スキャンして周波数リストを作成する。なお、S＞１３となるまで上記処理を行えば、３セグメント放送の中心セグメントを全て検出することが出来、スキャンしてない残りのセグメントは１セグメント放送用のセグメントか、放送局に割当ててないセグメントのいずれかとなる。
【００１４】
図１（A）の放送局配列パターンの場合、本発明によれば、９回のスキャン動作で全セグメントのスキャンを完了することが出来る。
図１の放送局配列パターンは、スキャンしたセグメントの全てにおいて同期が取れる場合であるが、取れない場合もある。図２は同期が取れないセグメントが存在する場合のスキャン動作説明図であり、１セグメント放送局と３セグメント放送局の配列パターンが(A)に示すようになっているものとする。
【００１５】
まず、デジタルラジオ受信機は、２番目のセグメント(No．2のセグメント)からスキャンを開始する(図２（B）,S=2)。セグメント２は３セグメント放送の片側のセグメントであるから、セグメント２において同期が取れない。そこで、デジタルラジオ受信機は次にスキャンすべきセグメントSを次式
S＝S+１＝３
により計算し、その同期を確認する(図２(C))。なお、スキャン対象セグメントＳで同期が取れない場合には＋１アップする。
セグメント３は３セグメント放送の中心セグメントであるから、セグメント３において同期が取れ、TMCC情報より３セグメント放送の中心セグメントであることが判明する。従って、ラジオ受信機は、両側のセグメント２，４(No.2のセグメントは既にスキャン済みとなっている)をスキャン済みとすると共に、セグメント３の周波数、放送局名、１セグメント放送/３セグメント放送の別等を周波数リストに登録する。
ついで、ラジオ受信機は、次にスキャンすべきセグメントSを次式
S＝S+3＝６
により計算し、その同期を確認する(図２(D))。セグメント６は３セグメント放送の片側のセグメントであるから、セグメント６において同期が取れない。そこで、デジタルラジオ受信機は次にスキャンすべきセグメントSを次式
S＝S+１＝７
により計算し、その同期を確認する(図２(E))。セグメント７は３セグメント放送の中心セグメントであるから、セグメント７において同期が取れ、TMCC情報より３セグメント放送の中心セグメントであることが判明する。従って、ラジオ受信機は、両側のセグメント６，８(No.6のセグメントは既にスキャン済みとなっている)をスキャン済みとすると共に、セグメント７の周波数、放送局名、１セグメント放送/３セグメント放送の別等を周波数リストに登録する。
【００１６】
ついで、ラジオ受信機は、次にスキャンすべきセグメントSを次式
S＝S+3＝１０
により計算し、その同期を確認する(図２(F))。セグメント１０は１セグメント放送用のセグメントであるから、同期が取れ、TMCC情報より１セグメント放送用であることが判明する。従って、ラジオ受信機は、該セグメントの周波数、放送局名、１セグメント放送/３セグメント放送の別等を周波数リストに登録する。
ついで、ラジオ受信機は、次にスキャンすべきセグメントSを次式
S＝S+２＝１２
により計算し、その同期を確認する(図２(G))。セグメント７は１セグメント放送用のセグメントであるから、同期が取れ、TMCC情報より１セグメント放送用であることが判明する。従って、ラジオ受信機は、該セグメントの周波数、放送局名、１セグメント放送/３セグメント放送の別等を周波数リストに登録する。
【００１７】
ついで、ラジオ受信機は、次にスキャンすべきセグメントSを次式
S＝S+２＝１４
により計算する。しかし、S=１４のセグメントは存在しないから、以後、まだスキャンしてないセグメントNo．１、５、９、１３（スキャン済みとされたセグメントは除く）を順次スキャンして周波数リストを作成する。なお、S＞１３となるまで上記処理を行えば、３セグメント放送の中心セグメントを全て検出することが出来、スキャンしてない残りのセグメントは１セグメント放送用のセグメントか、放送局に割当ててないセグメントのいずれかとなる。
図２（A）の放送局配列パターンの場合、本発明によれば、１１回のスキャン動作で全セグメントのスキャンを完了することが出来る。
すなわち、本発明によれば、最悪、１１回のスキャン動作で全セグメントのスキャンを完了することができ、放送局配列パターンによっては９回のスキャン動作で全セグメントのスキャンを完了することができる。一般的に、３セグメントの放送局がm局存在する場合、最悪、（13−m）回のスキャン動作で全セグメントのスキャンを完了することができ、放送局の配列パターンによっては(13−2×ｍ)回のスキャン動作で全セグメントのスキャンを完了することができる。
【００１８】
以上では、スキャンを開始するセグメントを中心周波数が下から２番目のセグメントとし、周波数アップ方向にスキャンを行なう場合であるが、スキャンを開始するセグメントを中心周波数が上から２番目のセグメント(No.12のセグメント)とし、周波数ダウン方向にスキャンを継続し、周波数ダウン方向において次にスキャンするセグメントが存在しなくなったとき、まだスキャンしてないセグメント（スキャン済みとされたセグメントは除く）を順次スキャンして周波数リストを作成するようにすることも出来る。
【００１９】
（ｂ）第２のスキャン動作
第1のスキャン動作では、同期が取れた場合、１セグメント放送であるか、３セグメント放送であるかに基づいて次にスキャンするセグメントを変えているが、第２のスキャン動作では同じにしている。すなわち、
１．スキャンを開始するセグメントを中心周波数が下から２番目のセグメント(No．2のセグメント)とし、周波数アップ方向にスキャンを行ない、該セグメントについて同期が取れたか調べる。
２．同期が取れた場合には、受信信号に含まれる情報(TMCC情報)を参照して１セグメント放送であるか３セグメント放送であるかを判別し、３セグメント放送である場合には、前記セグメントの両隣のセグメントのスキャンを以後省略するものとする(スキャン済みとする)。
３．ついで、(1) 同期が取れない場合には、前記スキャンしたセグメントに隣接する第１セグメントを次にスキャンするセグメントとして決定し、(2) 同期が取れた場合には、前記第１セグメントに隣接する第２セグメントを次にスキャンするセグメントとして決定する。
４．以後、スキャンを継続して上記１−３の動作を繰り返し、周波数アップ方向において次にスキャンするセグメントが存在しなくなったとき、３セグメント放送の中心セグメントを全て検出できたことになる。従って、最後に、まだスキャンしてない残りのセグメント(スキャン済みとされたセグメントは省略する)を順次スキャンする。
【００２０】
図３は第２のスキャン動作の説明図であり、１セグメント放送局と３セグメント放送局の配列パターンが(A)に示すようになっているものとする。
まず、デジタルラジオ受信機は、２番目のセグメント(No．2のセグメント)からスキャンを開始する(図３（B）S=2)。セグメント２は３セグメント放送の片側のセグメントであるから、セグメント２において同期が取れない。そこで、デジタルラジオ受信機は次にスキャンすべきセグメントSを次式
S＝S+１＝３
により計算し、その同期を確認する(図３(C))。セグメント３は３セグメント放送の中心セグメントであるから、セグメント３において同期が取れ、TMCC情報より３セグメント放送の中心セグメントであることが判明する。従って、ラジオ受信機は、両側のセグメント２，４(No.2のセグメントは既にスキャン済みとなっている)をスキャン済みとすると共に、セグメント３の周波数、放送局名、１セグメント放送/３セグメント放送の別等を周波数リストに登録する。
ついで、ラジオ受信機は、次にスキャンすべきセグメントSを次式
S＝S+2=５
により計算し、その同期を確認する(図３(D))。セグメント５は１セグメント放送用のセグメントであるから、同期が取れ、TMCC情報より１セグメント放送用であることが判明する。従って、ラジオ受信機は、該セグメントの周波数、放送局名、１セグメント放送/３セグメント放送の別等を周波数リストに登録する。
【００２１】
ついで、ラジオ受信機は、次にスキャンすべきセグメントSを次式
S＝S+２＝７
により計算し、その同期を確認する(図３(E))。セグメント７は３セグメント放送の中心セグメントであるから、セグメント７において同期が取れ、TMCC情報より３セグメント放送の中心セグメントであることが判明する。従って、ラジオ受信機は、両側のセグメント６，８をスキャン済みとすると共に、該セグメント７の周波数、放送局名、１セグメント放送/３セグメント放送の別等を周波数リストに登録する。
ついで、ラジオ受信機は、次にスキャンすべきセグメントSを次式
S＝S+2＝9
により計算し、その同期を確認する(図３(F))。セグメント9は１セグメント放送用のセグメントであるから、同期が取れ、TMCC情報より１セグメント放送用であることが判明する。従って、ラジオ受信機は、該セグメントの周波数、放送局名、１セグメント放送/３セグメント放送の別等を周波数リストに登録する。
ついで、ラジオ受信機は、次にスキャンすべきセグメントSを次式
S＝S+２＝１１
により計算し、その同期を確認する(図３(G))。セグメント１１は１セグメント放送用のセグメントであるから、同期が取れ、TMCC情報より１セグメント放送用であることが判明する。従って、ラジオ受信機は、該セグメントの周波数、放送局名、１セグメント放送/３セグメント放送の別等を周波数リストに登録する。
【００２２】
ついで、ラジオ受信機は、次にスキャンすべきセグメントSを次式
S＝S+２＝１３
により計算し、その同期を確認する(図３(H))。セグメント１３は１セグメント放送用のセグメントであるから、同期が取れ、TMCC情報より１セグメント放送用であることが判明する。従って、ラジオ受信機は、該セグメントの周波数、放送局名、１セグメント放送/３セグメント放送の別等を周波数リストに登録する。
ついで、ラジオ受信機は、次にスキャンすべきセグメントSを次式
S＝S+２＝１５
により計算する。しかし、S=１５のセグメントは存在しないから、以後、まだスキャンしてないセグメントNo.1、10、12（スキャン済みとされたセグメントは除く）を順次スキャンして周波数リストを作成する。なお、S＞１３となるまで上記処理を行えば、３セグメント放送の中心セグメントを全て検出することが出来、スキャンしてない残りのセグメントは１セグメント放送用のセグメントか、放送局に割当ててないセグメントのいずれかとなる。
【００２３】
図３（A）の放送局配列パターンの場合、本発明によれば、１０回のスキャン動作で全セグメントのスキャンを完了することが出来る。
一般的に、３セグメントの放送局がm局存在する場合、第２スキャン動作によれば、最悪、（13−m）回のスキャン動作で全セグメントのスキャンを完了することができ、放送局の配列パターンによっては(13−2×ｍ)回のスキャン動作で全セグメントのスキャンを完了することができる。
以上では、スキャンを開始するセグメントを中心周波数が下から２番目のセグメントとし、周波数アップ方向にスキャンを行なう場合であるが、スキャンを開始するセグメントを中心周波数が上から２番目のセグメント(No.12のセグメント)とし、周波数ダウン方向にスキャンを継続し、周波数ダウン方向において次にスキャンするセグメントが存在しなくなったとき、まだスキャンしてないセグメント（スキャン済みとされたセグメントは除く）を順次スキャンして周波数リストを作成するようにすることも出来る。
【００２４】
（Ｂ）デジタルラジオ受信機の構成
図４は本発明のデジタルラジオ受信機の構成図である。アンテナ１１は放送電波を受信して受信信号をチューナ１２に入力する。チューナ１２は受信機制御部より入力された選局情報が指示する放送局周波数に同調して該放送局からの無線信号（RF）を中間周波信号（IF）に変換してOFDM復調部１３に入力する。OFDM復調部１３は入力されたIF信号よりOFDM信号を抽出し、該OFDM信号を復調して、復調結果（MPEG2 TS）をMPEG2 TS 分離部１４に入力する。OFDM復調部１３はフレーム同期が取れたか否かを検出することができる。
MPEG2 TS 分離部１４は入力されたMPEG2 TSよりオーディオストリーム、ビデオストリーム、データを分離出力し、オーディオデコーダ１５は圧縮符号化されたオーディオストリームをデコードして音声データを出力し、ビデオデコーダ１６は圧縮符号化されたビデオストリームをデコードして映像データを出力する。
受信機制御部２１はデジタルラジオ受信機全体を制御し、後述するスキャン制御や選局制御などを行う。なお、スキャン制御に際して、受信機制御部２１は各放送局から送信されるTMCC(Transmission and Multiplexing Configuration Control)情報に含まれる形式識別フラグを参照する。操作部２２はラジオ受信のための各種操作(選局操作、音量操作、バンド切替など)を行い、記憶装置２３は、スキャンにより得られた周波数リストや各種イコライザ特性などのラジオ受信に必要な情報を記憶する。
【００２５】
図５はTMCC情報の説明図であり、このTMCC情報には復調にするための種々の情報が含まれている。本発明に関連する情報は形式識別フラグである。形式識別フラグFGは”０”であれば、１セグメント形式(１セグメント放送)であり、形式識別フラグFGが”1”であれば、３セグメント形式(３セグメント放送)である。
【００２６】
（Ｃ）第１のスキャン処理
図６は本発明の第１のスキャン動作による処理フローである。
電源投入時、あるいはスキャン開始が要求された時、受信機制御部２１は１３個のセグメントの各スキャン済みフラグFS（S＝１〜13）を０に初期化する(ステップ１０１)。
ついで、スキャン対象セグメントを２番目のセグメンとする（スキャン対象セグメント番号Ｓ＝２、ステップ１０２）。
ついで、受信機制御部２１はチューナ１２をＳ番目のセグメントの中心周波数に同調させて該Ｓ番目の受信信号をOFDM復調部１３に入力する。OFDM復調部は入力信号に基づいてOFDM復調動作を行なう。以上のOFDM復調動作と並行して受信機制御部２１はOFDM復調部１３のレジスタ値やフラグ類を参照してOFDMのフレーム同期が取れたかチェックする(ステップ１０３)。
同期が取れなければ、Ｓ番目のスキャン対象セグメントのフラグFSを“１”にセットしてスキャン済みにし(ステップ１０４)、次にスキャンすべきセグメントを次式
Ｓ＝Ｓ＋１
により計算する(ステップ１０５)。
【００２７】
ついで、次にスキャンすべきセグメントの番号Ｓが１３を越えたか(Ｓ＞１３)チェックし(ステップ１０６)、越えていなければステップ１０３に戻り、以降の処理を繰り返す。
一方、ステップ１０３において、同期が取れれば、受信機制御部２１はMPEG2 TS 分離部１４からTMCC情報を取得し、該TMCC情報の形式識別フラグを参照してＳ番目のスキャン対象セグメントが、１セグメント放送用であるか、３セグメント放送用であるかチェックする(ステップ１０７)。Ｓ番目のスキャン対象セグメントが３セグメント放送用であれば、Ｓ番目のセグメント及びその両側のＳ−1番目、Ｓ＋１番目のセグメントをスキャン済みにし（FS＝１、Fs-1＝１、FS+1＝１、ステップ１０８〜１１０）、スキャンすべきセグメントを次式
Ｓ＝Ｓ＋３
により計算する(ステップ１１１)。
【００２８】
ついで、次にスキャンすべきセグメントの番号Ｓが１３を越えたか(Ｓ＞１３)チェックし(ステップ１０６)、越えていなければステップ１０３に戻り、以降の処理を繰り返す。
ステップ１０７において、Ｓ番目のスキャン対象セグメントが１セグメント放送用であれば、Ｓ番目のセグメントをスキャン済みにし（FS＝１、ステップ１１２）、スキャンすべきセグメントを次式
Ｓ＝Ｓ＋２
により計算する(ステップ１１３)。
ついで、次にスキャンすべきセグメントの番号Ｓが１３を越えたか(Ｓ＞１３)チェックし(ステップ１０６)、越えていなければステップ１０３に戻り、以降の処理を繰り返す。
以後、上記ステップ１０２〜１１３の処理が繰り返され、ステップ１０６においてＳ＞１３となれば、まだスキャンしてないセグメント（スキャン済みとされたセグメントは除く）を順次スキャンして周波数リストを作成する（ステップ１１４）。なお、Ｓ＞１３となるまで上記処理を行えば、３セグメント放送の中心セグメントを全て検出することが出来、スキャンしてない残りのセグメントは１セグメント放送用のセグメントか、放送局に割当ててないセグメントのいずれかとなる。
以上では、スキャンを開始するセグメントを中心周波数が下から２番目のセグメントとし、周波数アップ方向にスキャンを行なう場合であるが、スキャンを開始するセグメントを中心周波数が上から２番目のセグメント(No.12のセグメント)とし、周波数ダウン方向にスキャンをすることができる。
【００２９】
（Ｄ）第２のスキャン処理
図７は本発明の第２のスキャン動作による処理フローであり、図６の処理フローと同一ステップ番号には同一番号を付している。異なる点は、Ｓ番目のスキャン対象セグメントが１セグメント用であっても３セグメント放送用であっても、スキャンすべきセグメントを次式
Ｓ＝Ｓ＋２
により計算する(ステップ２０１)点であり、他の処理は図６の処理フローと同じである。
【符号の説明】
【００３０】
１１  アンテナ
１２  チューナ
１３  OFDM復調部
１４  MPEG2 TS 分離部
１５  オーディオデコーダ
１６  ビデオデコーダ
２１  受信機制御部
２２  操作部
２３  記憶装置
【図１】
2011019055.tif 000003
【図２】
2011019055.tif 000004
【図３】
2011019055.tif 000005
【図４】
2011019055.tif 000006
【図５】
2011019055.tif 000007
【図６】
2011019055.tif 000008
【図７】
2011019055.tif 000009
【図８】
2011019055.tif 000010
【図９】
2011019055.tif 000011